(57)【要約】標的表面を掃除するための掃除用品。掃除用品は、使用中に動的に変化する表面積を標的表面に対して提供するストリップを有する。表面積はまた、ストリップに対して横断するように配向され得るトウ繊維の束を有する。トウ繊維は、ストリップの平面から外方に延在してもよく、ストリップに干渉することなく、粒子が掃除用品の中央に向かって移動し、かつその付近に保持されることを可能にする。
2020512863.tif 000002
【特許請求の範囲】
【請求項１】
標的表面を掃除するための掃除用品１０であって、
複数のストリップ１７を含む掃除ストリップ要素２５であって、各ストリップが、それぞれの近位端からそこから遠く離れたそれぞれの遠位端まで延在し、前記掃除ストリップ要素２５が、第１の表面及びそれに対向する第２の表面を有する、掃除ストリップ要素２５と、
前記掃除ストリップ要素２５の前記第１の表面に接合されたトウ繊維束２９であって、前記トウ繊維束２９が、前記ストリップ１７に対して略横断するように配向されている、トウ繊維束２９と、を備える、掃除用品１０。
【請求項２】
長手方向軸ＬＡと、そこから外方に延在する２列の互いに対向するストリップ１７と、を有し、前記掃除用品１０が、略長方形であり、かつ２つの対向するより短い側部２２と交互に配置された２つの対向するより長い側部２０を有し、前記ストリップ１７が、前記掃除用品１０の前記より短い側部２２と略整列されている、請求項１に記載の掃除用品１０。
【請求項３】
長手方向軸ＬＡと、そこから外方に延在する２列の互いに対向するストリップ１７と、を有し、前記掃除用品１０が、略長方形であり、かつ２つの対向するより短い側部２２と交互に配置された２つの対向するより長い側部２０を有し、前記ストリップ１７が、前記より短い側部２２と略整列され、前記トウ繊維束２９が、前記より長い側部２０に対して略平行であり、かつ前記掃除用品１０の一方のより短い側部から他方のより短い側部まで実質的に延在する、請求項１及び２に記載の掃除用品１０。
【請求項４】
長手方向軸ＬＡと、そこから外方に延在する２列の互いに対向するストリップ１７と、を有し、前記掃除用品１０が、略長方形であり、かつ２つの対向するより短い側部２２と交互に配置された２つの対向するより長い側部２０を有し、前記繊維束が、前記対向するストリップ１７の列の間に配置され、かつその近位端と並置されている、請求項１、２、及び３に記載の掃除用品１０。
【請求項５】
長手方向軸ＬＡと、そこから外方に延在する２列の互いに対向するストリップ１７と、を有し、前記掃除用品１０が、略長方形であり、かつ２つの対向するより短い側部２２と交互に配置された２つの対向するより長い側部２０を有し、前記繊維束が、前記長手方向全体にわたって断続的に結合されている、請求項１、２、３、及び４に記載の掃除用品１０。
【請求項６】
長手方向軸ＬＡと、そこから外方に延在する２列の互いに対向するストリップ１７と、を有し、前記掃除用品１０が、略長方形であり、かつ２つの対向するより短い側部２２と交互に配置された２つの対向するより長い側部２０を有し、前記繊維束が、複数の離間配置された結合部で前記長手方向全体にわたって断続的に結合され、前記トウ繊維束２９が、複数の切り込み位置で断続的な前記複数の結合部に切り込まれている、請求項１、２、３、４、及び５に記載の掃除用品１０。
【請求項７】
長手方向軸ＬＡと、それから外方に延在する２列の互いに対向するストリップ１７と、を有し、前記掃除用品１０が、略長方形であり、かつ２つの対向するより短い側部２２と交互に配置された２つ対向するより長い側部２０を有し、前記トウ繊維束２９が、前記対向するストリップ１７の列の間に配置され、かつその近位端と並置され、前記トウ繊維束２９が、前記掃除ストリップ要素２５に蛇行状パターンで結合されている、請求項１、２、３、４、５、及び６に記載の掃除用品１０。
【請求項８】
前記掃除用品１０が、略長方形であり、かつ２つの対向するより短い側部２２と交互に配置された２つの対向するより長い側部２０を有し、前記ストリップ１７が、前記より短い側部２２と略整列され、２つの外方に配向された列に配置され、かつ２つのトウ束を含み、１つの前記トウ束が、前記ストリップ１７の前記近位端と前記遠位端との中間で各前記外方に配向されたストリップ１７の列の上に配置され、前記トウ繊維束２９が、前記スリットで切断されて、それによってそれぞれのストリップに結合されている、請求項１、２、３、４、５、６、及び７に記載の掃除用品１０。
【請求項９】
前記掃除用品１０が、略長方形であり、かつ２つの対向するより短い側部２２と交互に配置され、長手方向軸ＬＡを画定する、２つの対向するより長い側部２０を有し、前記ストリップ１７が、前記より短い側部２２と略整列され、かつ２つの外方に配向された列に配置され、前記細長い掃除ストリップ要素２５が、前記ストリップ１７の長さに対して略横断するように配向され、それによって前記細長いトウ繊維束２９が、変化する幅を有する、請求項１、２、３、４、５、６、７、及び８に記載の掃除用品１０。
【請求項１０】
前記掃除用品１０が、略長方形であり、かつ２つの対向するより短い側部２２と交互に配置され、長手方向軸ＬＡを画定する、２つの対向するより長い側部２０を有し、前記ストリップ１７が、前記より短い側部２２と略整列され、かつ２つの外方に配向された列に配置され、前記細長い掃除ストリップ要素２５が、前記ストリップ１７の長さに対して略横断するように配向され、それによって前記細長いトウ繊維束２９が、変化する厚さを有し、最大厚さが、前記長手方向軸ＬＡと並置されている、請求項１、２、３、４、５、６、７、８、及び９に記載の掃除用品１０。
【請求項１１】
前記掃除用品１０が、略長方形であり、かつ２つの対向するより短い側部２２と交互に配置された２つの対向するより長い側部２０を有し、前記ストリップ１７が、前記より短い側部２２と略整列され、かつ２つの対向する外方に配向された列に配置され、前記列の前記近位端が、離間配置され、それによって前記細長いトウ繊維束２９が、前記離間配置されたストリップ１７の列間でくぼんでいる、請求項１、２、３、４、５、６、７、８、９、及び１０に記載の掃除用品１０。
【請求項１２】
前記掃除用品１０が、２つの対向するより短い側部２２と交互に配置され、長手方向軸ＬＡを画定する、２つの対向するより長い側部２０を有する、略長方形であり、前記細長いトウ繊維束２９の各々が、前記長手方向軸ＬＡに対して略平行である、請求項１、２、３、４、５、６、７、８、９、１０、及び１１に記載の掃除用品１０。
【請求項１３】
前記掃除用品１０が、２つの対向するより短い側部２２と交互に配置され、長手方向軸ＬＡを画定する、２つの対向するより長い側部２０を有する、略長方形であり、前記細長いトウ繊維束２９の各々が、前記長手方向軸ＬＡに対して略斜めである、請求項１、２、３、４、５、６、７、８、９、１０、及び１１に記載の掃除用品１０。
【請求項１４】
前記掃除ストリップ要素２５の前記第２の表面に接合されたキャリアシート１２を更に備える、請求項１、２、３、４、５、６、７、８、９、１０、１１、１２、及び１３に記載の掃除用品１０。
【発明の詳細な説明】
【技術分野】
【０００１】
本発明は、日常の掃除中に、動的表面積を標的表面に対して提供する掃除用品に関する。
【背景技術】
【０００２】
様々な掃除用品が、ほこり取り及び軽い掃除のために開発されてきた。例えば、乾燥した状態で、又は研磨及び洗浄組成物によって濡れた状態で使用される、布きれ及びペーパータオルが、調理台、シャワー、シンク、床などの比較的平らな表面で使用されてきた。米国特許第９，２９６，１７６号に開示されているように、積層性拭き取り布が提案されてきた。しかし、布きれ、拭き取り布、及びペーパータオルには、衛生状態（使用者の手が、化学薬品、汚れ、又は掃除中の表面に触れることがある）、届く範囲（布きれ、拭き取り布、又はペーパータオルを持った状態で、使用者の手を、届きにくい場所に入れることが困難であることがある）、及び不便さ（狭い間隔で配置された物品の間を掃除する場合、通常、これらの物を移動させる必要がある）などの理由による問題がある。
【０００３】
布きれ及びペーパータオルの使用に伴うこれらの問題を克服するために、Ｈａｙｄｅｎによる１９０６年発行の米国特許第８２３，７２５号に記載のフェルト及び毛を使用したデバイス、及び同第４，１４５，７８７号に記載の糸を使用したデバイスなどの、再利用可能な様々な集塵デバイスが、１世紀を超えて利用されてきた。再利用可能な集塵デバイスの問題に対処するため、限定的な再利用性を有する使い捨て掃除用品が開発されてきた。これらの使い捨て掃除用品は、米国特許第６，８１３，８０１号、同第７，００３，８５６号、同第７，５６６，６７１号、同第７，７７９，５０２号、同第７，９３７，７９７号、同第８，１４６，１９７号、同第８，１５１，４０２号、同第８，１６１，５９４号、同第８，１８６，００１号、同第８，２４５，３４９号、同第８，５２８，１５１号、同第８，７５６，７４６号、及び同第８，７６３，１９７号に記載されているように、シートに取り付けられたトウ繊維と呼ばれる合成繊維束で作製されたブラシ部分を含み得る。
【０００４】
米国特許第７，５６６，６７１号、同一出願人による同第７，８０３，７２６号、及び同一出願人による米国特許出願公開第２００８／００２８５６０号に開示されているように、トウ繊維を有する使い捨てダスターは、湿式掃除用に提供されてもよい。しかし、トウ繊維は濡れるともつれた状態になることがあるため、広い又はひどく濡れた表面（例えば、床）の掃除には好適ではない。このように、ダスターは、極めて広い又はひどく汚れた表面の掃除には好適ではないことがある。代わりに、米国特許第８，７５２，２３２号、同第８，７９３，８３２号、及び同一出願人による同第８，０７５，９７７号に開示されているように、繊維を有するシートが提案されている。弾性挙動を有するウェブは、同一出願人による米国特許第５，６９１，０３５号に提案されている。米国特許第６，２４５，４１３号、及び同第７，３８６，９０７号に開示されているように、くぼみを有するシートも提案されている。米国特許第６，５５０，０９２号に開示されているように、空洞を有するシートが提案されている。接着剤掃除シートは、米国特許第７，２９１，３５９号に提案されている。
【０００５】
広くかつ／又はひどく濡れた表面の問題を解決するために、バケツ一杯の液体に繰り返し浸したモップが使用されてきた。しかし、これらのモップは飽和状態になり、大量の汚れた液体を床に再付着させることがある。したがって、使い捨てフロアシートが開発されている。米国特許第７，１９１，４８６号及び同第７，７２１，３８１号に開示されているように、これらのフロアシートは、大量の吸収性セルロースを含んでもよく、同第９，０３２，５７７号に開示されているように、少なくとも２つの内側シートを含んでもよい。同一出願人による米国特許第５，９６０，５０８号、同第６，００３，１９１号、同第６，０４８，１２３号、同第６，６０１，２６１号、及び同第６，７６６，５５２号に開示されているように、フロアシートは、液体を更に吸収及び保持しやすくするためにＡＧＭを含み得る。しかし、不溶性汚れが床から除去されない場合、又は可溶性汚れがフロアシートによって十分に吸収されない場合、縞（streaking）及び／又は薄膜（filming）が生じ得る。
【０００６】
この問題をきれいに解決する１つの試みは、マイクロファイバークリーニングパッドに見出される。マイクロファイバーパッドは、ナイロン製とすることができ、洗って再利用することが意図されている。しかし、マイクロファイバーパッドは、床を損傷し、かつ特に、繰り返して洗浄した後に薄膜／縞を依然として残すことがある。
【０００７】
この問題は、一部の新品の床材によって悪化する。例えば、特定の新品の床材は、色が比較的暗い。また、新品の床材は、比較的高い光沢レベルを有し、かつ／又は、表面エネルギーのせいで掃除中に濡れにくいことがある。これらの特性は、たとえ床の損傷が生じなくても、湿式清掃後に床に残っている薄膜／縞を強調する可能性がある。
【０００８】
更に他の試みによれば、米国特許第７，６９４，３７９号及び同一出願人による同第７，４８０，９５６号に開示されているように、クリーニングパッドに疎水性及び親水性の両方を具備させている。別の試みにおいては、同一出願人による米国特許第７，０２８，３６４号に開示されているように、自由浮動カフを含んでいる。当該技術分野における他の関連する試みとしては、米国特許出願公開第２００３／０３００９９１号、同第２０１１／００４１２７４号、同第２０１６／００３７９９３号、米国特許第６，２４５，４１３号、同第６，６８１，４３４号、同第６，７０１，５６７号、同第７，４５８，１２８号、同第７，６２４，４６８号、同第８，３４１，７９７号、同第８，７０７，５０５号、及び同第８，８６３，３４７号が挙げられる。
【０００９】
これらの試みは、濡れた標的表面からの、具体的には床からの液体の吸収を目的としているが、問題は依然として残っている。略平坦なフロアシートは、掃除作業の間中、同一の表面を床に対して提供する。フロアシートが飽和していると、汚れを再付着させることがある。略平坦なフロアシートは、床の隙間又はグラウトラインを十分に掃除できない場合がある。再利用可能なマイクロファイバーフロアパッドを使用すると、床に損傷を与えることがある。
【先行技術文献】
【特許文献】
【００１０】
【特許文献１】米国特許第９，２９６，１７６号
【特許文献２】米国特許第８２３，７２５号
【特許文献３】米国特許第４，１４５，７８７号
【特許文献４】米国特許第６，８１３，８０１号
【特許文献５】米国特許第７，００３，８５６号
【特許文献６】米国特許第７，５６６，６７１号
【特許文献７】米国特許第７，７７９，５０２号
【特許文献８】米国特許第７，９３７，７９７号
【特許文献９】米国特許第８，１４６，１９７号
【特許文献１０】米国特許第８，１５１，４０２号
【特許文献１１】米国特許第８，１６１，５９４号
【特許文献１２】米国特許第８，１８６，００１号
【特許文献１３】米国特許第８，２４５，３４９号
【特許文献１４】米国特許第８，５２８，１５１号
【特許文献１５】米国特許第８，７５６，７４６号
【特許文献１６】米国特許第８，７６３，１９７号
【特許文献１７】米国特許第７，８０３，７２６号
【特許文献１８】米国特許出願公開第２００８／００２８５６０号
【特許文献１９】米国特許第８，７５２，２３２号
【特許文献２０】米国特許第８，７９３，８３２号
【特許文献２１】米国特許第８，０７５，９７７号
【特許文献２２】米国特許第５，６９１，０３５号
【特許文献２３】米国特許第６，２４５，４１３号
【特許文献２４】米国特許第７，３８６，９０７号
【特許文献２５】米国特許第６，５５０，０９２号
【特許文献２６】米国特許第７，２９１，３５９号
【特許文献２７】米国特許第７，１９１，４８６号
【特許文献２８】米国特許第７，７２１，３８１号
【特許文献２９】米国特許第９，０３２，５７７号
【特許文献３０】米国特許第５，９６０，５０８号
【特許文献３１】米国特許第６，００３，１９１号
【特許文献３２】米国特許第６，０４８，１２３号
【特許文献３３】米国特許第６，６０１，２６１号
【特許文献３４】米国特許第６，７６６，５５２号
【特許文献３５】米国特許第７，６９４，３７９号
【特許文献３６】米国特許第７，４８０，９５６号
【特許文献３７】米国特許第７，０２８，３６４号
【特許文献３８】米国特許出願公開第２００３／０３００９９１号
【特許文献３９】米国特許出願公開第２０１１／００４１２７４号
【特許文献４０】米国特許出願公開第２０１６／００３７９９３号
【特許文献４１】米国特許第６，６８１，４３４号
【特許文献４２】米国特許第６，７０１，５６７号
【特許文献４３】米国特許第７，４５８，１２８号
【特許文献４４】米国特許第７，６２４，４６８号
【特許文献４５】米国特許第８，３４１，７９７号
【特許文献４６】米国特許第８，７０７，５０５号
【特許文献４７】米国特許第８，８６３，３４７号
【発明の概要】
【発明が解決しようとする課題】
【００１１】
このため、濡れた表面に使用可能で、かつ、掃除作業中に動的に変化する面を提供する、使い捨ての略平面状掃除用品が必要とされている。略平面状のパッドは、本出願人によって販売されているＳｗｉｆｆｅｒ（登録商標）器具などの掃除器具のヘッド上に取り外し可能に配置され得る。このような器具のヘッドはまた、略平面状であり、典型的には、自在接合部を介してハンドルに装着される。この構成によれば、使用者は、追加の掃除が必要な場所に圧縮圧力を加えることができる。このような器具上での取り外し可能な略平面状のシートの使用は、ハンドルを通して加えられる圧縮下でのストリップ移動性の組み合わせによって、洗浄能力及び表面保護の両方を提供するので望ましい。
【課題を解決するための手段】
【００１２】
本発明は、層状構造を有する掃除用品を含んでいる。この掃除用品は、シートと、細長い結合部において互いに接合されている掃除ストリップ要素と、を含む。掃除ストリップ要素は、結合部から外方に延在するストリップを有する。複数のトウ繊維は、掃除ストリップ要素に接合され、ストリップに対して略横断するように配向される。
【図面の簡単な説明】
【００１３】
【図１】この図は縮尺どおりに描かれている。本発明の掃除用品の分解斜視図である。
【図２Ａ】図１の線２−２に沿って取られた、３つのトウ繊維束と、一定の厚さの中央トウ繊維束と、長手方向軸に近づくにつれて厚さが増加する２つの外側のトウ繊維束と、を有する、垂直断面図である。
【図２Ｂ】逆ピラミッド形ジオメトリを有する掃除ストリップ要素を有する、代替的な実施形態の掃除用品の垂直断面図である。
【図２Ｃ】各々が複数のトウ繊維束を有する２つの掃除ストリップ要素を有する、代替的な実施形態の掃除用品の概略断面図である。
【図２Ｄ】互いに異なる平面に配置された２つのトウ繊維束を有する、代替的な実施形態の掃除用品の概略断面図である。
【図２Ｅ】変化する厚さのトウ繊維束を有する、代替的な実施形態の掃除用品の概略断面図である。
【図２Ｆ】２列のストリップの間にくぼんだトウ繊維束を有する、代替的な実施形態の掃除用品の概略断面図である。
【図３Ａ】この図は縮尺どおりに描かれている。単一の細長いトウ繊維束と、各ストリップが、正弦曲線の長さを有する２つの対向するストリップ列と、を有する掃除用品の破断底面図である。
【図３Ｂ】この図は縮尺どおりに描かれている。複数の細長いトウ繊維束層を有し、１つのトウ繊維束が、一定の幅を有し、１つが変化する幅を有し、かつ２つの対向するストリップ列を有し、各ストリップが、正弦曲線の長さを有する、掃除用品の底面図である。
【図３Ｃ】複数の細長いトウ繊維束を有し、１つのトウ繊維束が、狭い幅を有し、かつ掃除用品の長手方向縁により近く、結合された外側の三等分線を有し、１つのトウ繊維束が、より広い幅を有し、かつ掃除用品の長手方向軸により近く、結合された中央の三等分線を有する、掃除用品の概略底面図である。
【図３Ｄ】複数の細長いトウ繊維束を有し、１つのトウ繊維束が、ジグザグパターンの変化するピッチ、振幅、及び厚さを有し、１つのトウ繊維束が、一定の正弦曲線パターンである、掃除用品の概略底面図である。
【図３Ｅ１】変化する幅の砂時計形状のトウ繊維束と、斜めに配向されたストリップと、を有し、一方の側部が、一定の長さのストリップを有し、一方の側部が、変化する長さのストリップを有する、掃除用品の概略底面図である。
【図３Ｅ２】変化する幅バレル形状のトウ繊維束と、変化する幅及び変化する長さを有するストリップと、を有する掃除用品の概略底面図である。
【図３Ｆ】長手方向軸に対して斜めに配向され、掃除用品の長手方向寸法を完全に被覆する複数のトウ繊維束を有する、掃除用品の概略底面図である。
【図３Ｇ】掃除用品の長手方向寸法を完全に被覆する複数の分離した中断されたトウ繊維束を有し、ストリップの近位端が、長手方向軸から異なるオフセットを有する、掃除用品の概略底面図である。
【図３Ｈ】離間配置された結合部を有し、トウ繊維束が、離間された結合部の中間で切断されている、掃除用品の概略底面図である。
【図４】この図は縮尺どおりに描かれている。本発明と共に使用可能なハンドルの斜視図である。
【図５Ａ】概略的な掃除用品が取り付けられる、本発明と共に使用可能な床掃除器具の斜視図である。
【図５Ｂ】この図は縮尺どおりに描かれている。本発明と共に使用可能であり、かつ任意選択的な噴霧システムを有する床掃除器具の斜視図である。
【発明を実施するための形態】
【００１４】
図１を参照すると、掃除用品１０は、概ね細長い長方形であり得るが、他の形状も企図され、実行可能である。掃除用品１０は、床の掃除に好適な掃除用品１０を提供するために、積層形態で接合された２つ以上の構成要素を含むことができる。掃除用品１０はキャリアシート１２を有することができ、このシート１２は、他の構成要素を取り付けるためのフレームを形成している。掃除用品１０はまた、掃除ストリップ要素２５を有してもよく、掃除ストリップ要素２５は、外方に延在する、積層された可撓性ストリップ１７の複数の１つ以上の層２７を有する。トウ繊維２９の束は、ストリップ１７上に重畳され、それに対して横断するように配向される。任意選択的な吸収性コアが、掃除ストリップ要素２５とシート１２との間に配置されてもよい。
【００１５】
掃除用品１０は、使い捨ての場合がある。「使い捨て」とは、掃除用品１０が１回の掃除作業、あるいは概して数平方メートル以下に対して使用され、その後、廃棄され得ることを意味している。対照的に、再利用可能な掃除用品１０は、使用後、洗濯されるか、他の方法で元の状態に戻される。
【００１６】
掃除用品１０は、長手方向軸ＬＡと、それに直交する横断方向軸ＴＡとを有し得る。掃除用品１０及びその各構成要素は、長手方向軸ＬＡに平行な２つの長手方向縁２０と、横断方向軸ＴＡに平行な２つの横断方向縁２２とを有し得る。
【００１７】
掃除用品１０の長さは、長手方向において測られる。掃除用品１０の幅は、長さ方向に対して直角であり、かつ、シート１２の面内の横断方向に対応する。厚さは、Ｚ方向の寸法として定義される。ＸＹ面は、掃除用品１０によって画定される面によって定義される。掃除用品１０のＺ方向は、掃除用品１０の平面に対して垂直な方向である。掃除用品１０は、２０〜５０ｃｍの長さ及び１０〜２０ｃｍの幅を有してもよい。具体的には、掃除用品１０は、後述するように、典型的な掃除器具７０のヘッドに適合するように、最大寸法で測定したとき、長さが３０＋／−２ｃｍであり、幅が１４＋／−２ｃｍであってもよい。任意選択的なコアは、具体的には、幅が６．５＋／−２ｃｍであり、長さが２６＋／−２ｃｍであってもよい。当然のことながら、当業者であれば、本発明の範囲内において、他の形状が実現可能であることを理解するであろう。
【００１８】
図２Ａ〜図２Ｆを参照すると、掃除用品１０は、掃除用品１０を形成する、積層状態で接合され／折り重ねられた、少なくとも２つの、より好ましくは少なくとも３つ、４つ、又はそれ以上の薄層を有している。キャリアシート１２はまた、後述するように、床掃除器具への取り付け部を提供してもよい。特に規定のない限り、本明細書で使用される「接合」とは、２つの構成要素間における直接的かつ接触を伴う関係と、構成要素間に中間構成要素を有する関係とを含む。
【００１９】
以下で説明するように、ストリップ１７は、有利には実質的に、又は好ましくは完全に、シート１２の占有面積内に含まれてもよい。具体的には、ストリップ１７の遠位端は、シート１２の２つの長手方向縁２０及び２つの横断方向縁２２によって画定される占有面積内に含まれてもよく、その占有面積によって境界が定められてもよい。この構成によれば、使用者が掃除器具を床に押し付けたときにストリップ１７に直接圧力が加わるため、使用中にストリップ１７の可動性を促進し、使用中に掃除用品１０の動的表面積を標的表面に対して提供すると考えられる。
【００２０】
２つの対向する対の外方に配向されたストリップ１７を有する掃除ストリップ要素２５が示されているが、当業者であれば、本発明がそのように限定されないことを理解するであろう。ストリップ１７の単一の列、又はストリップ１７の異なる構成が利用されてもよい。トウ繊維束２９は、対向する外方に配向されたストリップ１７の近位端の間に配置されてもよい。そのような構成により、トウ繊維束２９が、ストリップ１７の対向する列の一方又は両方のストリップ１７と重畳することが可能になる。
【００２１】
掃除用品１０は、外側に向いた掃除面と、その反対側にある取り付け面とを有してもよい。掃除用品１０の取り付け面は、器具のヘッドへの取り付けのための、１つ以上の取り付けストライプ３０を有してもよく、例として、２つの平行なストライプ３０が図示されている。ストライプ３０は、フックを有する掃除器具のヘッドに対する相補的取り付け部として好適なループ要素を含んでもよい。
【００２２】
より具体的には、掃除用品１０は、少なくとも１つのトウ繊維束２９と、少なくとも１つの掃除ストリップ要素２５と、を有する構造を含んでもよい。トウ繊維束２９及び掃除ストリップ要素２５は、向かい合わせの関係で、少なくとも１つの永続結合部３８によって接合されて、積層体を形成している。掃除ストリップ要素２５を含む薄層は、具体的には、蛇行状に予め折り重ねられて、Ｚ方向に複数の薄層を提供してもよい。
【００２３】
図２Ｂを具体的に参照すると、掃除ストリップ要素２５は、掃除ストリップ要素２５の遠位縁に近づくほど減少する幅を有する、蛇行状に折り重ねられた部材を含んでもよい。このジオメトリにより、使用時に逆ピラミッド形構造が提供される。掃除ストリップ要素２５のこのような構造により、複数の幅を有する掃除ストリップ要素２５の複数の層２７を提供し得る。幅は、第１の層２７から遠位層２７に向かって減少してよく、具体的には第１の層２７から遠位層２７に向かって単調に幅が減少してもよい。逆ピラミッド形構造は、掃除中に、標的表面に対してより多くの縁を有利に提供することが予測的に考えられる。
【００２４】
図２Ａ〜図２Ｆを参照すると、任意選択的なキャリアシート１２は、掃除ストリップ要素２５を取り付けるためのシャーシとして機能してもよい。本発明から逸脱しない限りにおいて、他の薄層及び特徴が、シート１２と掃除ストリップ要素２５との間に配置されてもよい。
【００２５】
具体的には、キャリアシート１２は、合成不織シート１２を含んでもよい。合成繊維を有するキャリアシート１２により、掃除ストリップ要素２５をシートに接合し易くなる。当技術分野で知られているように、不織布には、スパンボンド方式、カード方式、及びエアレイド方式の材料が含まれ、不織布は、合成繊維から作製されている。好適な不織シートは、同一出願人による米国特許第６，７９７，３５７号に従って作製されてもよい。キャリアシート１２は、液体不透過性であるポリオレフィンフィルムを含んでもよい。
【００２６】
キャリアシート１２はセルロースを含み、それによって吸収力を提供してもよい。当技術分野で知られているように、セルロース系シート１２は、永続的な湿潤強度を有する樹脂を添加されてもよい。あるいは、吸収性及びバリア性の両方を提供するために、及び掃除ストリップ要素２５を接合するのに便利なように、キャリアシート１２は、好ましくは、セルロース系繊維及び合成繊維の混合物を含んでもよい。「セルロース系」とは、構成要素において、大部分の重量パーセントを、セルロース系繊維が占めていることを意味する。
【００２７】
キャリアシート１２及び／又は掃除ストリップ要素２５は、親水性であってもよく、これにより、掃除対象である表面から水分を有利に吸収する。「親水性」とは、概して、構成要素が、使用中に水分を吸収し、かつ過剰な圧縮力をかけられることのない通常の使用中において、その水分を保持することを意味する。
【００２８】
親水性と疎水性との特性の対比は、以下のように測定してもよい。１グラムの材料サンプルを、約１１０℃にて１２時間オーブンで乾燥させ、その後、相対湿度６５％／２１℃で５日間調湿する。次いで、サンプルを１１０℃で１２時間再乾燥させる得られた水分量を、水分率として測定する。
水分率＝［（相対湿度６５％で調湿したサンプルの総重量−乾燥後のサンプルの重量）÷乾燥したサンプルの重量］×１００％。
【００２９】
本明細書で使用するとき、「親水性材料」は、６５％での水分率が約２％、３％、４％、５％より多く、好ましくは約６％より多い。以下の表１に、相対湿度６５％で平衡する水分率（％）についての、異なる種類の繊維間の比較を示す。
【００３０】
【表１】
2020512863.tif 000003
【００３１】
親水性材料は、本明細書に記載の発明に有用であり得るが、この材料は、使い捨て掃除用品１０に使用される場合であっても、強度が十分でない場合がある。このため、適切な材料の選択が重要である。
【００３２】
例えば、掃除ストリップ１７が１００％セルロースであると、湿潤摩擦係数が高くなりすぎて、使用者が、特定の標的表面内で掃除用品１０を移動させることが難しくなる場合がある。異なる材料を混合することにより、汚れを集めるための表面積を維持しつつ、湿潤摩擦係数を最適化することができる。また、材料が同じでも、長さが異なる掃除ストリップ１７を使用することにより、湿潤摩擦係数を過度に増加させることなく、掃除表面積を増加させることができ、それによって、標的表面内での移動が容易になる。
【００３３】
任意選択的なキャリアシート１２は、２層、３層、又はそれ以上の層の積層体を含んでもよい。具体的には、この積層体は、掃除器具に接触する、外側に向いた層１２Ａと、吸収用の中央層／コア１２Ｂと、掃除ストリップ要素２５に接合する、内側に向いた層１２Ｃとの、３層を含んでもよい。
【００３４】
３つの層１２Ａ、１２Ｂ、及び１２Ｃは、任意選択的なキャリアシート１２の形成のための当該技術分野において知られているように、接着剤及び／又は熱結合３８を使用して互いに永続的に接合され得る。ループ又は同様の材料の任意選択的な取り付け用ストライプ３０が、外方の層１２Ａの外方に面する表面に接合されて、掃除用品１０をハンドル６０又は器具７０に取り外し可能に接合し得る。ストライプ３０は、連続的又は非連続的であってよい。任意選択的なキャリアシート１２が使用されない場合、ストリップ３０は、掃除ストリップ要素２５の外方に配向された表面に直接取り付けられてもよい。
【００３５】
外側に向いた層１２Ａは、坪量が２０〜８０ｇｓｍの水流交絡スパンボンド不織布を含んでもよい。Ａｖｇｏｌ  Ｎｏｎｗｏｖｅｎｓ（Ｔｅｌ−Ａｖｉｖ、Ｉｓｒａｅｌ）の４５ｇｓｍの不織布が好適であることが分かっている。本明細書においては、不織布は、織りあわされていない、エアレイド及び／又はウェットレイド繊維の混合物を有する構成要素である。層１２Ａは、外側に向いた液体不透過性バリアによって被覆されるか、又はそれを含んでもよい。このバリアにより、吸収された液体が、使用者の手、器具などに接触するのを防ぐ。好適なバリアには、当技術分野で知られているように、ＬＤＰＥフィルムが挙げられる。
【００３６】
中央層／コア１２Ｂは、貯水層として機能することができ、掃除ストリップ要素２５によって標的表面から集められた液体を吸収し、保持する。中央層／コア１２Ｂは、複合セルロース／合成エアレイドを含んでもよい。８５：１５のセルロースを含む１３５ｇｓｍのエアレイドとして、Ｓｕｏｍｉｎｅｎ（Ｈｅｌｓｉｎｋｉ、Ｆｉｎｌａｎｄ）から入手可能な複合繊維が、好適である。
【００３７】
当技術分野で知られているように、中央層／コア１２Ｂは、更に、吸収性ゲル材料（ＡＧＭ）を含んでもよい。ＡＧＭは、吸収した液体の保持力を高め、掃除用品１０の能力を高め得る。掃除用品１０は、発泡体を有しなくてもよく、これにより、コストを節約する。
【００３８】
内側に向いた層１２Ｃは、スパンレース、すなわち水流交絡法などのプロセスを使用して合成不織布に結合された薄織物（tissue）として形成されたウェットレイド繊維の混合物を含んでもよい。内側に向いた層１２Ｃは、Ｓｕｏｍｉｎｅｎ（Ｈｅｌｓｉｎｋｉ、Ｆｉｎｌａｎｄ）によってＧｅｎｅｓｉｓ  ｔｉｓｓｕｅという名称で販売されている、２３ｇｓｍの薄織物及び１７ｇｓｍのポリプロピレンスパンボンドの複合材料を含んでもよい。
【００３９】
所望される場合、専用のコア１２Ｂは、掃除用品１０に組み込まれていてもよい。専用のコア１２Ｂは、シート１２の層１２Ａ、１２Ｃのいずれかの間に配置されていてもよく、又は、シート１２の内方若しくは外方に配向された面の上に配置されていてもよい。具体的には、コア１２Ｂは、中央層を含んでいる場合がある。コア１２Ｂ及び／又は追加的な／代替的な中央層は、外側に向いた層１２Ａ及び内側に向いた層１２Ｃよりも幅が狭くてもよい。コア１２Ｂ及び／又は中央層は、外側に向いた層１２Ａ及び内側に向いた層１２Ｃの約半分の幅を有する場合があり、長手方向軸を中心として配置され得る。具体的には、コア１２Ｂ及び／又は中央層の幅は、取り付け材のストライプ３０間のスペースよりも小さい又は同等であり得る。
【００４０】
掃除ストリップ要素２５は、１つの層又は複数の層を含んでもよい。複数の層は、蛇行状様式で折り重ねられてもよい。この構成により、少なくとも二重、三重、又はそれ以上の厚さとなる。折り重ねられた層２７が略横断するように配向された個々の掃除ストリップに切断されると、二重の厚さは、それぞれのストリップ１７の遠位端でループを提供する。ループにより、Ｚ方向に重ねられたストリップ１７同士が離間し易くなるため、ループは有益であると考えられる。
【００４１】
折り重ねられた構成は、ｃ折りで完成される場合がある。当業者であれば、ｃ折りを多段に繋いで（cascade）、当技術分野で知られているｚ折り、ｗ折り、又は他の複数層折り（ｃ折りを含む）を得ることができることを理解するだろう。
【００４２】
掃除ストリップ要素２５は、所望の吸収力及び意図する標的表面のテクスチャに応じて、掃除ストリップ１７の層２７として１〜２５層、５〜２０層、具体的には約６〜８層を含み得る。各縁に、具体的には長手方向縁に配置された掃除ストリップ１７は、遠位端におけるループと、掃除ストリップ１７の遠位端における一重の厚さを有する自由端とを有利に含み得、掃除中に反応差を提供し、掃除中により多くの塵に予測的に到達し、かつそれを保持する。
【００４３】
具体的には、掃除ストリップの反応差により、通常の使用条件下において、掃除中に、標的表面に対して動的に変化する表面積が提供されると考えられる。表面積を変化させることにより、より多くの液体及びそれに関連する塵を、標的表面から取り除くことができる。
【００４４】
３つの別個の掃除ストリップ材を有する非限定的な掃除ストリップ要素２５が図示されている。シート１２の近くにある上部シートは、それ自体の上で折り重ねられて、４つの掃除ストリップ層２７をもたらしている。その下の２つの掃除ストリップ１７層２７は、それ自体の上でｚ折りされて、各々３つの掃除ストリップ層２７をもたらしている。
【００４５】
対向する掃除ストリップ１７と任意選択的なコア１２Ｂとの間の幅の差異により、掃除ストリップ要素２５から送られてくる液体を保持するための、コア１２Ｂ及び／又は中央層１２Ｂの安定性が促進されると考えられる。更に、このジオメトリにより、吸収された液体が掃除ストリップ１７から排水され易くなると考えられる。更に、このジオメトリにより、掃除ストリップ１７の移動を促進すると考えられるギャップが生じ、通常の使用時に使用者が掃除用品１０を移動させると、標的表面に対して異なる部分を提供する。
【００４６】
１つ以上のトウ繊維束２９が利用されてもよい。複数のトウ繊維束２９は、より多くのトウ繊維２９の質量及び利用可能性の利益を提供して、より多くの粒子を予測的に捕捉する。各トウ繊維束２９は、粒子をより密接に遮るために、それぞれの長手方向縁２０に近くてもよい。複数の２つの繊維２９束層がそれぞれの図に示されているが、当業者であれば、３つ以上のトウ繊維束２９を単一の掃除用品１０に利用できることを理解するであろう。
【００４７】
図３Ａ〜図３Ｈを参照すると、掃除用品１０は、掃除ストリップ要素２５に配置された親水性掃除ストリップ１７の対向する列を含んでもよい。本明細書においては、掃除ストリップ１７とは、近位端から対応する遠位端へと外方に延在するストリップを指す。個々の掃除ストリップ１７は、用品１０の長手方向中央線にある、又は、その中央線からずれた近位端を有し、（横断方向において測った）長さが対応する（長手方向において測った）幅よりも大きく、アスペクト比が少なくとも１、任意選択的に２〜２０、及び任意選択的に５〜１５であってもよい。掃除ストリップ１７は、結合部３８に並置されたそれぞれの近位端から、掃除用品の長手方向縁２０に並置されたそれぞれの遠位端までの長さが、３〜１５ｃｍ、４〜１２ｃｍ、又は具体的には５〜８ｃｍであってもよく、幅が、３〜２０ｃｍ、４〜１５ｃｍ、又は具体的には６〜８ｃｍであってもよい。これらの具体的な寸法は、掃除器具を用いた床掃除に使用される場合に好適であることが分かっている。
【００４８】
製造によって意図されるように、掃除ストリップはＸＹ面内にあるが、使用前の毛羽立ち、及び／又は、標的表面に対して移動させることにより使用中に生じる変形によって、ＸＹ面外へと変形する場合がある。掃除ストリップ１７は、本明細書に記載されているシート１２のうちの１つに組み込まれていてもよく、又は分離されたシート１２の上に配置されていてもよい。掃除ストリップ１７は、用品の幅方向に対して平行に延在していてもよく、又は用品の幅方向に対して鋭角の関係に配置されていてもよい。図に示すように、掃除ストリップ１７は、直線的であってもよく、曲がっていてもよく、蛇行していてもよく、又は任意の所望の形状を有していてもよい。
【００４９】
掃除ストリップ要素２５は、内側に向いた層１２Ｃに関して上述したものと同じ材料を含んでいてもよく、具体的には親水性であってよく、より具体的にはセルロースと不織布との複合体を含むことができる。より具体的には、ストリップ１７は、セルロース及び不織布シート又は繊維を交互にした積層体を含んでもよい。あるいは、セルロース繊維及び合成繊維は、単に厚さ方向に分散されていてもよい。任意選択的に、ストリップ１７は、ＬＤＰＥなどのポリオレフィンフィルム層を有してもよい。任意選択的に、ストリップ１７は、発泡体を含んでもよい。
【００５０】
ストリップ２５はまた、ナノ繊維を含んでいてもよく、０．１〜１００デニールのデニール範囲であってもよい。毛管チャネル繊維を含む非円形合成繊維を使用してもよい。毛管チャネル繊維は、三葉形、Ｃ字形、Ｈ字形などであってもよい。具体的には、ＰＰコア及びＰＥシースを有するバイコンポーネント繊維を使用して、結合及び弾力性の両方を提供することができる。所望される場合、繊維は、エラストマー性であってもよい。合成繊維は、短い切断部分、又は更には粉末であってもよい。ストリップ２５は、有孔であってもよい。
【００５１】
ストリップ２５は、６０重量％未満、５０重量％未満、又は３０重量％未満のセルロースと、少なくとも４０重量％、少なくとも５０重量％、又は少なくとも７０重量％の合成繊維と、を含み得る。繊維は、エアレイド、ウェットレイド、又はキャリアシートとして提供され得ることが理解される。好適な合成繊維としては、ＰＥ、ＰＬＡ、ＰＥＴ、ナイロン、及びこれらの二成分の組み合わせが挙げられる。好適な材料は、Ｓｕｏｍｉｎｅｎ  Ｃｏｒｐ．に譲渡された米国特許第９，２９６，１７６号の教示に従って作製することができる。セルロース繊維は、硬材、軟材及びそれらの混合物を含んでもよい。
【００５２】
所望される場合、ストリップ２５は、高バルク又はテリー織布様特性を有する繊維状の織布又は不織布シートで作製されてもよい。このようなストリップは、前駆体ウェブから形成され、前駆体ウェブと一体に形成された、分離した繊維のタフトを有してもよい。ストリップは、１平方センチメートル当たり１０〜１００個の分離したタフトを有してもよい。タフトは、有利には、掃除のための突出部を提供する。タフトを有するストリップは、同一出願人による米国特許第７，６８２，６８６号、同第７，８３８，０９９号、及び／又は同第８，０７５，９７７号に従って作製することができる。
【００５３】
掃除ストリップ要素２５は、好ましくは、上記の、フィンランドのヘルシンキのＳｕｏｍｉｎｅｎによるＧｅｎｅｓｉｓティッシュのような、ポリプロピレンスパンボンドを複合材料として含み得る掃除ストリップ要素２５及び／又はシート１２は、当該技術分野で知られているように、代替的に又は追加的にマイクロファイバーを含み得る。
【００５４】
掃除ストリップ要素２５は、掃除用品１０の長手方向範囲全体にわたってストリップを有することが示されているが、当業者であれば、本発明がそのように限定されないことを理解するであろう。ストリップは、長手方向縁２０の任意の有意な部分に沿って配置されてもよい。
【００５５】
シート１２及び掃除ストリップ要素２５は、後述するように、複数の結合部３８によって接合され得る。結合部３８は、当技術分野で知られているように、熱、接着剤、又は超音波などによるものであってよい。
【００５６】
中央結合部３８は、掃除用品１０の全ての層２７／薄層を接合して、それによって、確実に一体構造にして、使用中に個々の構成要素が失われることを防止し得る。中央結合部３８は、掃除ストリップ要素２５の全ての層２７に共通であり、掃除ストリップ要素２５の各層２７を、直接的に又は間接的にシート１２に接合してもよい。
【００５７】
２つの外側寄りの結合部３８を設けて、掃除ストリップ要素２５の、シート１２の近くにある層２７のみを接合してもよい。本明細書に記載の実施形態では、外側寄りの結合部３８は、中央において横断するように少なくとも約７ｃｍ離間され得る。これにより、外側寄りの結合部は、コア１２Ｂより外側寄りに離間され、かつ、このコアに重ならない。外側寄りの結合部３８又は中央結合部３８は、これらの結合部が、掃除ストリップ要素２５の層２７の一部を、直接的に又は間接的にシート１２に接合させるだけである場合、二次結合部３８と考えられ得る。
【００５８】
典型的には、掃除ストリップ要素２５の層２７の全てが、少なくとも１つの結合部３８によってシート１２に接合される。シート１２の最も近くにある層２７が、第１の層２７と考えられ得る。その後に続く層２７は、シート１２に相対的に近くにあると考えられ、順に第２の層２７、第３の層２７、第４の層２７と考えられ得る。シート１２から遠く離れており、床の最も近くにある、あるいは床に接している層２７が、遠位層２７と考えられる。
【００５９】
結合部３８は、シート１２と長手方向に同一の広がりであってもよく、又はシートよりもわずかに短くてもよい。好ましくない実施形態では、外側寄りの結合部３８は、シート１２から遠く離れていて近くにない掃除ストリップ要素２５の部分のみを接合している場合がある。
【００６０】
この構成によると、標的表面上に提供される掃除ストリップ１７は相対的により長く、その内側では掃除ストリップ１７はより短い。長さが異なる掃除ストリップ１７を有することにより、掃除ストリップ１７を互いに独立して移動させることができ、また、互いを分離することができ、その結果、洗浄効果を改善する。掃除ストリップ１７間を分離すること、具体的には、掃除ストリップ１７を重畳された層として提供することは、掃除用品１０によって汚れを有効的にピックアップするためにも、その汚れを保持するためにも、掃除対象の表面に対して十分な面積を提供するという点で重要であると考えられる。このため、層２７は、１つ折り、複数折り、又は折り目無しで単純に重ね合わせることにより作製され得る。
【００６１】
掃除ストリップ要素２５のシートへの接合は、正弦曲線状の結合部３８又はジグザグの結合部３８（これらは全て蛇行状結合部３８と総称される）あるいは他の非直線形結合部３８によってなされる場合がある。この結合部３８パターンにより、相対的により長い掃除ストリップ１７及び相対的により短い掃除ストリップ１７の両方が、個別に提供される。また、掃除ストリップ１７は、各々、長手方向軸と平行でない近位端を有する。このジオメトリにより、掃除中に掃除ストリップの捻じれや乱れを促進すると考えられる近位端が提供される。
【００６２】
代替的には、同一出願人による欧州特許出願第１５１６２８９５．５号、Ｐ＆Ｇ事件番号１３７４２Ｆに開示されているように、中央結合部３８は、分離した結合部３８の配列を含んでいる場合がある。分離した結合部３８は、通常の使用中における標的表面に対する掃除ストリップ要素２５の動的変化の提供を促進することが予測的に考えられる。
【００６３】
長さの異なる掃除ストリップ１７により、使用中に、異なるストリップ１７及び／又はその部分が、標的表面に対して提供されると考えられる。掃除ストリップ１７の不規則な近位端により、使用中に、異なるストリップ１７又はその部分が、標的表面に対して提供されると考えられる。
【００６４】
概して、使用中に、異なる掃除ストリップ１７及び／又は掃除ストリップ１７の異なる部分を、標的表面に対して提供することにより、掃除用品１０の飽和状態の部分が標的表面に接触したままにならないと考えられる。使用中に掃除ストリップ要素２５の異なる部分が提供されると、再付着が最小限となり、掃除ストリップ要素２５の不飽和状態の部分を、標的表面に接触させて、標的表面から液体を吸収させて保持させることができる。標的表面に接触する掃除ストリップ要素２５の有効部分を動的に変化させることにより、洗浄が改善されると考えられる。意義深いことに、掃除ストリップ要素２５の動的に変化する有効部分は、自動的に、かつ、通常の掃除の一部である通常の前後ストローク以外の使用者による介入無しに現れる。
【００６５】
細長いトウ繊維束２９は、ストリップ１７の主軸に対して横断するように配向されたロープ又はチャネル内に配置されてもよい。横断方向とは、トウ繊維２９が、ストリップ１７の主軸に対して少なくとも３０度、好ましくは少なくとも４５度、より好ましくは約９０度に配向された主軸を有することを意味する。この構成は、トウ繊維２９及びストリップ１７の望ましくない絡まりの可能性を低減する一方で、ストリップ１７の移動性を可能にし、トウ繊維束２９の所望の静的位置決め又は移動性を可能にする。更に、トウ繊維束２９が掃除用品１０の設置面積全体を被覆しないようにすると、より良好な掃除が行われると考えられる。
【００６６】
トウ繊維２９は、濡れたときにもつれ、また絡まり、掃除有効性を低減する傾向があるので、掃除用品１０を乾燥させて使用してもよい。このトウ繊維束２９は、向かい合わせの関係でシート１２又は掃除ストリップ要素２５に接合されてもよい。トウ繊維束２９は、掃除中に標的表面に直接接触させるのに好適であり、そのように配置される場合がある。代替的には、トウ繊維束２９は、シート１２と掃除ストリップ要素２５との間に配置される場合がある。
【００６７】
トウ繊維２９は、合成であってよい。本明細書で使用するとき、「束繊維」及び／又は「トウ」は、ポリエステル、ポリプロピレン、ポリエチレン、生物由来ポリマー（例えば、ポリ乳酸、バイオポリエチレン、バイオポリエステルなど）などを含む合成ポリマーを含むトウ繊維２９を指す。トウ繊維２９はまた、セルロース、アセチルセルロース、亜麻、麻、黄麻、及びこれらの混合物などの天然物由来の繊維を含み、個々の繊維は、束状に製造された比較的長いストランドである。トウ繊維は、本出願人によって販売されているＳｗｉｆｆｅｒ（登録商標）Ｄｕｓｔｅｒ（商標）の成分である。
【００６８】
トウ繊維２９は、明確な端点を有し、長さが少なくとも約１ｃｍ、好ましくは少なくとも約３、より好ましくは少なくとも約４、より好ましくは少なくとも約５である繊維として定義することができる。トウ繊維２９は、用品１０の横断方向縁の間に、実質的に連続的かつ略横断するように延在してもよい。
【００６９】
任意選択的なキャリアシート１２（複数可）、掃除ストリップ要素２５、及びトウ繊維束２９（複数可）が、複数の永続結合部３８によって接合され得る。結合部３８は、離れた又は離脱したトウ繊維２９がほどけることを、最小限に抑える又は防ぐことを意図している。このようなシート１２（複数可）、掃除ストリップ要素２５、及びトウ繊維束２９（複数可）は、典型的には、介在部材又は介在構成要素をその間に挟んで又は挟まずに、互いに直接重畳されている場合がある。
【００７０】
図２Ａ〜図２Ｅを参照すると、トウ繊維束２９（複数可）は、掃除ストリップ要素２５の平面から広がって外方に突出してもよい。この構成は、掃除用品１０の長手方向軸ＬＡが標的表面からわずかに持ち上がるという利益を予測的に提供し、より大きな粒子がトウ繊維によって捕捉され、長手方向縁２０に堆積しないことを可能にする。所望される場合、トウ繊維束２９の断面は、長手方向軸ＬＡに近づくにつれてＺ方向により厚くなり得、大きな粒子の進入を可能にする予測的な利益を増加させることができる。
【００７１】
図２Ｅを具体的に参照すると、トウ繊維束２９は、Ｚ方向において取られる、変化する厚さを有してもよい。このジオメトリは、最も厚い領域が長手方向軸に並置されている場合、より多くの粒子が、予測的に掃除用品１０の外側寄りの表面内、すなわち長手方向軸ＬＡに近い方に更に進行することになり、掃除用品を修復又は廃棄しなければならない前に掃除領域が増加するという利益を提供する。
【００７２】
図２Ｆを参照すると、代替的には、トウ繊維束２９は、掃除ストリップ要素２５内にくぼんでいてもよい。この構成は、掃除用品が、具体的には、Ｚ方向においてよりコンパクトであるという利益を提供する。
【００７３】
図２Ａ〜図２Ｆを参照すると、トウ繊維束２９は、結合部３８によって掃除ストリップ要素２５に接合することができ、この結合部３８は、トウ繊維束２９の全長にわたって長手方向に延在し、それと同一の広がりを有する。代替的には、トウ繊維束２９の部分は、掃除ストリップ要素２５に接合されなくてもよい。
【００７４】
図３Ｃを参照すると、例えば、２つの繊維束２９の長手方向外側寄りの三等分線のみを、ボンド３８によって掃除ストリップ要素に接合することができる。トウ繊維束２９の中央三等分線は結合されなくてもよく、中央三等分線が浮遊し、床に対して動的表面積を提供することを可能にする。代替的には、トウ繊維束２９の中央を結合し、トウ繊維束２９の長手方向端を結合せずに、端部を自由に前後に移動できるようにしてもよい。例示的な掃除用品１０は、三等分線で分割されたトウ繊維束２９の結合領域及び非結合領域を有するように図示されているが、当業者であれば、本発明がそのように限定されないことを理解するであろう。トウ繊維束２９の結合領域及び非結合領域は、任意の好適な長さであり、細長いトウ繊維束２９に沿って繰り返されてもよい。
【００７５】
理論に束縛されるものではないが、このような断続的な結合は、トウ繊維束２９の任意の非結合部分が、動的表面積を標的表面に対して提供し、隙間、グラウト線などに到達することができると考えられる。トウ繊維束２９の結合部分は、動的表面を提供せず、有利には二重の洗浄能力を提供する。
【００７６】
図３Ｄを参照すると、トウ繊維束２９は、鋭いジグザグパターン又は正弦曲線パターンで配置されてもよく、両方は集合的に蛇行と呼ばれる。この構成は、トウ繊維２９が長手方向軸に対して異なる位置に配置され、異なるサイズの粒子に対してより良好な掃除を予測的に提供するという利益を提供する。このような蛇行パターンが選択される場合、繰り返し部分は、一定又は変化する波長、振幅、及びトウ繊維束２９の厚さを有してもよい。
【００７７】
図示されるように、トウ繊維束２９は、ストリップ１７をまたいでもよい。予測的には、この構成は、ストリップ１７が標的表面との異なる係合に起因して移動するにつれて、トウ繊維束２９も同様に移動するという利益を提供する。トウ繊維束２９が標的表面に対して移動する場合、破片のピックアップの改善が生じるであろうと考えられる。所望される場合、トウ繊維束２９は、ストリップ間のスリットに対応する１つ以上の位置で切断されてもよい。
【００７８】
このような実施形態は、トウ繊維束２９を、掃除ストリップ要素２５を形成することを意図した層２７に結合することによって達成することができる。次いで、層２７は、個々のストリップ１７に切断される。トウ繊維束２９は同様に、ストリップ１７を画定するスリットに対応する位置で切断される。したがって、各ストリップ１７は、その一部にトウ繊維束２９の対応する部分が接合されており、掃除中に標的表面に動的に接触している。
【００７９】
図３Ｅ１〜図３Ｅ２を参照すると、トウ繊維束２９は、横軸ＴＡに対して平行なＸ方向において変化する幅であってもよい。この構成は、粒子を捕らえるために、前方／後方の掃引方向におけるより多くの表面積の利益を予測的に提供する。この構成はまた、掃除ストリップ１７に対して異なる有効長さを提供し、標的表面に対して提供される動的表面積を予測的に改善する。図３Ｅ１に示されるように、予測的に、砂時計形のトウ繊維２９は、粒子を掃除用品１０の中央に集めることができる。
【００８０】
図３Ｆを参照すると、複数のトウ繊維束２９は、長手方向軸ＬＡに対して斜めに配向されてもよい。好ましくは、トウ繊維束２９は、掃除用品１０の長手方向の寸法を完全に被覆しており、そのため掃除用品１０の全長は有利に粒子を遮る。そのような実施形態が選択される場合、好ましくは、掃除用品１０のどの部分もトウ繊維束２９を遮らない横断方向の線を有しない。
【００８１】
図３Ｄに関して説明されたように、トウ繊維束２９は、ストリップ１７の近位端と遠位端との中間の位置でストリップ１７に接合されもよい。図示された斜めの構成は、トウ繊維束２９がその長さに沿った異なる位置でストリップ１７に接合されるという利益を提供する。予測的には、これは、トウ繊維が掃除中に標的表面に対して異なるように反応し、改善された有効性を提供するという利益を提供する。
【００８２】
図３Ｇを参照すると、１つ以上のトウ繊維束２９は、分離しており、隣接するトウ繊維束から長手方向に離間配置されてもよい。この構成は、異なるサイズの粒子が分離した異なるトウ繊維２９束を遮ることができるという利益を予測的に提供する。
【００８３】
図３Ｈを参照すると、トウ繊維束２９は、長手方向に離間配置された分離した結合部３８を有していてもよい。トウ繊維束２９は、結合部３８の中間で切断されてもよい。この構成は、結合部３８の近位端から対応する遠位端まで延在するトウ繊維を提供する。遠位端は自由であり、標的表面に対して移動することができる。この構成は、トウ繊維が標的表面に対して動的移動を提供するので、有効な掃除を促進すると考えられる。
【００８４】
結合部３８は、長手方向軸ＬＡに対して略垂直であってもよく、又はそれに対して傾斜していてもよい。同様に、結合部３８の中間の切断部は、長手方向軸線ＬＡに対して略垂直であってもよく、又はそれに対して傾斜していてもよい。長手方向軸線ＬＡに対して斜めに予測的に切断することは、異なる長さのトウ繊維の利益を提供する。
【００８５】
結合部３８は、必要に応じて長手方向に離間配置されてもよい。予測的には、２〜１２ｃｍ、又は３〜６ｃｍのピッチが実現可能であり、１〜６ｃｍの切断長さを有するトウ繊維を提供する。
【００８６】
結合部３８（複数可）は、接着結合、熱結合、超音波結合などによって形成することができる。熱結合及び超音波結合においては、局所的な結合部３８部位に、エネルギー及び圧縮圧力が加えられる。合成シート１２及び合成トウ繊維２９は、そのような局所部位において溶融される。再凝固により、シート１２及びトウ繊維２９の局所的な材料が、そのような局所部位において共に再凝固され、結合部３８となる局所的な溶接部が形成される。
【００８７】
任意選択的に、シート１２、掃除ストリップ要素２５、及び／又はトウ繊維２９の層のいずれかを、接着剤、ろう、ニュートン流体オイル若しくは非ニュートン流体オイル、又はそれらの組み合わせによって、完全に又は部分的にコーティングして、洗浄を改善し、かつ吸収された塵の保持性を増大し得る。所望される場合、任意選択的に、掃除用品１０を、洗浄溶液と共に、あるいは、例えば外観又は殺菌のための表面処理などの他の目的のために使用可能な他の溶液と共に使用することができる。洗浄溶液を掃除用品１０に予め適用して、予め湿らせた掃除用品１０を作り出してもよく、あるいは、洗浄溶液を別の容器に入れて、掃除用品１０及び／又は標的表面に１回分供給してもよい。洗浄溶液は、大部分が水であり、少なくとも約０．５、２、５又は１０重量％の固体、あるいは少なくとも約３０又は５０重量％の水性溶媒、非水性溶液、又はその混合物を含み得る。
【００８８】
任意選択的なキャリアシート１２、掃除ストリップ要素２５、及びトウ繊維束２９は、製造を簡単にするために、一致した色を有してもよい。代替的には、キャリアシート１２、存在する場合、掃除ストリップ要素２５、及びトウ繊維束２９のいずれもが、第１の色を有してもよく、他の構成要素（複数可）が、第２の対比色であってもよい。この構成は、掃除中にゴミのピックアップを示すという利益を提供し得る。当然ながら、他の色の組み合わせが実現可能である。
【００８９】
図１〜図３Ｈを参照すると、そこに示されている実施形態及び変形形態のいずれも、そこに示されている任意の他の実施形態及び変形形態と組み合わせて使用できることを理解されたい。例えば、任意の実施形態では、ストリップ１７は、一定又は変化する長さ、幅、及び／又は間隔を有してもよく、１つ以上の列に延在してもよい。任意の実施形態では、任意の変形形態又は組み合わせのストリップ１７の列は、任意の所望の数の層２７において、掃除用品１０の対向する端部の間に部分的に又は全体的に延在してもよい。任意の実施形態では、ストリップ１７は、長手方向軸ＬＡに対して垂直であってもよく、又はそれに対して任意の所望の角度関係であってもよい。
【００９０】
同様に、任意の実施形態では、任意の数の繊維束２９が、ストリップ１７に対して任意の位置に配置されていてもよい。任意の実施形態では、繊維束２９（複数可）は、長手方向軸ＬＡに対して一定又は変化する幅、厚さ、及び位置であってもよい。任意の実施形態では、繊維束２９（複数可）は、ストリップ１７間のスリットと一致するように、若しくはスリットの中間で切断されてもよく、又は繊維束（複数可）は、掃除用品１０の端部間に部分的に又は完全に延在してもよい。
【００９１】
トウ繊維束２９は、掃除用品１０の長手方向寸法全体を延在するように図示されている。当業者であれば、本発明がそのように限定されないことを理解するであろう。トウ繊維束は、掃除用品１０のより短い端部の間に部分的にのみ延在してもよい。あるいは、掃除用品の一部分にトウ繊維束２９がなくてもよく、掃除用品１０の別の部分に１つ、２つ以上のトウ繊維束２９があってもよい。
【００９２】
図４を参照すると、掃除用品１０は、ハンドル６０に取り外し可能に取り付け可能であってもよい。具体的には、取り付けシステムにより、好適かつ任意選択的なハンドル６０に対して、掃除用品１０の取り外し可能な取り付けをもたらすことができる。掃除用品１０の取り付けシステム及び任意選択的な相補的ハンドル６０の取り付けとしては、接着剤接合、粘着接合、スリーブなどを介した機械的係合を挙げることができる。ある１つの一般的な取り付けシステムは、ハンドル６０の歯（複数可）を挿入可能なスリーブを含む。好適なハンドル６０は、同一出願人による米国第８，５７８，５６４号及びＤ６７４，９４９Ｓに開示されている。
【００９３】
図５Ａ及び図５Ｂを参照すると、掃除用品１０は、特定の作業に応じて、乾燥、湿潤、及び／又は予備湿潤掃除と共に使用するために、器具７０に取り外し可能に取り付け可能であってもよい。具体的には、床掃除器具７０は、使用者が直立状態のままで床掃除できるようにすることができる。また、この床掃除器具は、洗浄溶液又は他の液体を床にスプレーするためにも提供され得る。典型的な床掃除器具７０は、使用者によって把持されるハンドル７２と、このハンドルに取り付けられた、好ましくは枢動可能にそれに取り付けられたヘッド７４とを有する。ヘッド７４は、床又は他の標的表面に接触して移動する。掃除用品１０は、ヘッド７４の底部に取り外し可能に取り付けられ得る。ストリップ１７は、使用中のヘッド７４の占有面積によって境界が定められてもよく、それによって、掃除中のストリップ１７の動的移動が促進される。図５Ａでは、掃除用品１０は、一方の側部にのみ配置され、山形パターンで配向されたストリップを有する。他方の側部は、ストリップ１７を持たず、ストリップ１７を有しない。
【００９４】
掃除用品１０の器具７０への取り外し可能な取り付けは、接着剤、フック及びループシステム、並びにグリッパを使用して実現することができる。グリッパ及び好適な掃除器具７０は、同一出願人による第６，４８４，３５６号に開示されている。任意選択的な真空を有する好適な器具７０は、米国特許第７，１３７，１６９号に開示されている。図５Ｂに示されるように、好適なスプレー式器具７０が、同一出願人による米国特許第５，８８８，００６号、同第５，９８８，９２０号、同第６，８４２，９３６号、同第７，１８２，５３７号、同第７，５３６，７４３号、同第７，６７６，８７７号、及び同第８，１８６，８９８号に開示されている。
【００９５】
所望される場合、掃除用品１０は、自律的に移動するロボットは無人機と共に使用され、かつそれに取り外し可能に取り付けられてもよい。本発明の掃除用品と共に使用するためのロボット及び無人機の好適な例は、２０１６年１月１１日に出願されたＰ＆Ｇのケース１４１８９の同一出願人による米国特許第６，９４１，１９９号、同第６，８１０，３０５号、同第６７７９２１７号、同第６，４８１，５１５号、同第６，４５９，９５５号、及び米国特許出願公開第１４／９９２，１９５号に見出される。
【００９６】
掃除用品１０はまた、ハンドル６０又は器具７０を使用せず、手で使用することもできる。所望される場合、本明細書に記載した様々な掃除用品１０をキットとしてパッケージ化及び販売してもよい。この構成は、使用者が、異なる作業に対して異なる掃除用品１０の選択肢を有するという利益を提供する。例えば、所望される場合、複数サイズの掃除用品１０を、単一のキットとしてまとめて販売することができる。この構成により、使用者は、急な作業に対して最良に適した、特定の掃除用品１０を選択することができる。
【００９７】
組み合わせ
限定するものではないが、本発明は、段落Ａ〜Ｔのいずれか、又は他の実施形態において同様に作製されてもよい。
【００９８】
Ａ．標的表面を掃除するための掃除用品であって、
複数のストリップを含む掃除ストリップ要素であって、各ストリップが、それぞれの近位端からそこから遠く離れたそれぞれの遠位端まで延在し、当該掃除ストリップ要素が、第１の表面及びそれに対向する第２の表面を有する、掃除ストリップ要素と、
当該掃除ストリップ要素の当該第１の表面に接合されたトウ繊維束であって、当該トウ繊維束が、当該ストリップに対して略横断するように配向されている、トウ繊維束と、を備える、掃除用品。
Ｂ．長手方向軸と、そこから外方に延在する２列の互いに対向するストリップと、を有し、当該掃除用品が、略長方形であり、かつ２つの対向するより短い側部と交互に配置された２つの対向するより長い側部を有し、当該ストリップが、当該掃除用品の当該より短い側部と略整列されている、段落Ａに記載の掃除用品。
Ｃ．長手方向軸と、そこから外方に延在する２列の互いに対向するストリップと、を有し、当該掃除用品が、略長方形であり、かつ２つの対向するより短い側部と交互に配置された２つの対向するより長い側部を有し、当該ストリップが、当該より短い側部と略整列され、当該トウ繊維束が、当該より長い側部に対して略平行であり、かつ当該掃除用品の一方のより短い側部から他方のより短い側部まで実質的に延在する、段落Ａ及びＢに記載の掃除用品。
Ｄ．長手方向軸と、そこから外方に延在する２列の互いに対向するストリップと、を有し、当該掃除用品が、略長方形であり、かつ２つの対向するより短い側部と交互に配置された２つの対向するより長い側部を有し、当該繊維束が、当該対向するストリップの列の間に配置され、かつその近位端と並置されている、段落Ａ、Ｂ、及びＣに記載の掃除用品。
Ｅ．長手方向軸と、そこから外方に延在する２列の互いに対向するストリップと、を有し、当該掃除用品が、略長方形であり、かつ２つの対向するより短い側部と交互に配置された２つの対向するより長い側部を有し、当該繊維束が、長手方向全体にわたって断続的に結合されている、段落Ａ、Ｂ、Ｃ、及びＤに記載の掃除用品。
Ｆ．長手方向軸と、そこから外方に延在する２列の互いに対向するストリップと、を有し、当該掃除用品が、略長方形であり、かつ２つの対向するより短い側部と交互に配置された２つの対向するより長い側部を有し、当該繊維束が、複数の離間配置された結合部で長手方向全体にわたって断続的に結合され、当該トウ繊維束が、複数の切り込み位置で断続的な当該複数の結合部に切り込まれている、段落Ａ、Ｂ、Ｃ、Ｄ、及びＥに記載の掃除用品。
Ｇ．キャリアシートを更に備え、当該キャリアシートが、当該掃除ストリップ要素の当該第２の表面に接合されている、段落Ａ、Ｂ、Ｃ、Ｄ、Ｅ、及びＦに記載の掃除用品。
Ｈ．長手方向軸と、それから外方に延在する２列の互いに対向するストリップと、を有し、当該掃除用品が、略長方形であり、かつ２つの対向するより短い側部と交互に配置された２つ対向するより長い側部を有し、当該トウ繊維束が、当該対向するストリップの列の間に配置され、かつその近位端と並置され、当該トウ繊維束が、当該掃除ストリップ要素に蛇行状パターンで結合されている、段落Ａ、Ｂ、Ｃ、Ｄ、Ｅ、Ｆ、及びＧに記載の掃除用品。
Ｉ．標的表面を掃除するための掃除用品であって、
キャリアシートと、
複数のストリップを含む掃除ストリップ要素であって、当該掃除ストリップ要素が、第１の表面及びそれに対向する第２の表面を有し、当該スリットが、それらの間にスリットによって画定され、各ストリップが、それぞれの近位端からそこから遠く離れたそれぞれの遠位端まで延在し、かつそれらの間の長さを画定し、当該掃除ストリップ要素が、内方に配向された表面及びそれに対向する外方に配向された表面を有し、当該掃除ストリップ要素の当該内方に配向された表面が、積層形態で当該キャリアシートに接合されている、掃除ストリップ要素と、
当該掃除ストリップ要素の当該外方に配向された表面に接合された細長いトウ繊維束と、を備える、掃除用品。
Ｊ．当該掃除用品が、略長方形であり、かつ２つの対向するより短い側部と交互に配置された２つの対向するより長い側部を有し、当該ストリップが、一列に配置され、かつ当該より短い側部のうちの１つと整列及び略整列され、当該繊維束が、当該近位端と当該遠位端との中間で当該ストリップに接合されている、段落Ａ、Ｂ、Ｃ、Ｄ、Ｅ、Ｆ、Ｇ、Ｈ、及びＩに記載の掃除用品。
Ｋ．当該掃除用品が、略長方形であり、かつ２つの対向するより短い側部と交互に配置された２つの対向するより長い側部を有し、当該ストリップが、当該より短い側部と略整列され、２つの外方に配向された列に配置され、かつ２つのトウ束を含み、１つの当該トウ束が、当該ストリップの当該近位端と当該遠位端との中間で各当該外方に配向されたストリップの列の上に配置され、当該トウ繊維束が、当該スリットで切断されて、それによってそれぞれのストリップに結合されている、段落Ａ、Ｂ、Ｃ、Ｄ、Ｅ、Ｆ、Ｇ、Ｈ、Ｉ、及びＪに記載の掃除用品。
Ｌ．当該掃除用品が、略長方形であり、かつ２つの対向するより短い側部と交互に配置され、長手方向軸を画定する、２つの対向するより長い側部を有し、当該ストリップが、当該より短い側部と略整列され、かつ２つの外方に配向された列に配置され、当該細長い掃除ストリップ要素が、当該ストリップの当該長さに対して略横断するように配向され、それによって当該細長いトウ繊維束が、変化する幅を有する、段落Ａ、Ｂ、Ｃ、Ｄ、Ｅ、Ｆ、Ｇ、Ｈ、Ｉ、Ｊ、及びＫに記載の掃除用品。
Ｍ．当該掃除用品が、略長方形であり、かつ２つの対向するより短い側部と交互に配置され、長手方向軸を画定する、２つの対向するより長い側部を有し、当該ストリップが、当該より短い側部と略整列され、かつ２つの外方に配向された列に配置され、当該細長い掃除ストリップ要素が、当該ストリップの当該長さに対して略横断するように配向され、それによって当該細長いトウ繊維束が、変化する厚さを有し、最大厚さが、当該長手方向軸と並置されている、段落Ａ、Ｂ、Ｃ、Ｄ、Ｅ、Ｆ、Ｇ、Ｈ、Ｉ、Ｊ、Ｋ、及びＬに記載の掃除用品。
Ｎ．当該掃除用品が、略長方形であり、かつ２つの対向するより短い側部と交互に配置された２つの対向するより長い側部を有し、当該ストリップが、当該より短い側部と略整列され、かつ２つの対向する外方に配向された列に配置され、当該列の当該近位端が、離間配置され、それによって当該細長いトウ繊維束が、当該離間配置されたストリップの列間でくぼんでいる、段落Ａ、Ｂ、Ｃ、Ｄ、Ｅ、Ｆ、Ｇ、Ｈ、Ｉ、Ｋ、Ｌ、及びＭに記載の掃除用品。
Ｏ．当該掃除用品が、２つの対向するより短い側部と交互に配置された２つの対向するより長い側部を有する略長方形であり、当該細長いトウ繊維束が、分離した複数の長手方向に離間配置された部分に配置されている、段落Ａ、Ｂ、Ｃ、Ｄ、Ｅ、Ｆ、Ｇ、Ｈ、Ｉ、Ｊ、Ｋ、Ｍ、及びＮに記載の掃除用品。
Ｐ．当該掃除用品が、２つの対向するより短い側部と交互に配置され、長手方向軸を画定する、２つの対向するより長い側部を有する略長方形であり、当該細長いトウ繊維束が、分離した複数の離間配置された区分に配置され、当該トウ繊維束の各当該区分が、当該長手方向軸に対して略平行である、段落Ａ、Ｂ、Ｃ、Ｄ、Ｅ、Ｆ、Ｇ、Ｈ、Ｉ、Ｊ、Ｋ、Ｍ、Ｎ、及びＯに記載の掃除用品。
Ｑ．標的表面を掃除するための掃除用品であって、
複数のストリップを含む掃除ストリップ要素であって、各ストリップが、それぞれの近位端からそこから遠く離れたそれぞれの遠位端まで延在し、当該掃除ストリップ要素が、第１の表面及びそれに対向する第２の表面を有する、掃除ストリップ要素と、
当該掃除ストリップ要素の当該第１の表面に接合された複数のトウ繊維束であって、当該トウ繊維束が、当該ストリップに対して略横断するように配向されている、トウ繊維束と、を備える、掃除用品。
Ｒ．当該掃除用品が、２つの対向するより短い側部と交互に配置され、長手方向軸を画定する、２つの対向するより長い側部を有する、略長方形であり、当該細長いトウ繊維束の当該各々が、当該長手方向軸に対して略平行である、段落Ａ、Ｂ、Ｃ、Ｄ、Ｅ、Ｆ、Ｇ、Ｈ、Ｉ、Ｊ、Ｋ、Ｍ、Ｎ、Ｏ、Ｐ、及びＱに記載の掃除用品。
Ｓ．当該掃除用品が、２つの対向するより短い側部と交互に配置され、長手方向軸を画定する、２つの対向するより長い側部を有する、略長方形であり、当該細長いトウ繊維束の当該各々が、当該長手方向軸に対して略斜めである、段落Ａ、Ｂ、Ｄ、Ｅ、Ｆ、Ｇ、Ｉ、Ｊ、Ｋ、Ｍ、Ｎ、Ｏ、及びＱに記載の掃除用品。
Ｔ．当該掃除ストリップ要素の当該第２の表面に接合されたキャリアシートを更に備える、段落Ａ、Ｂ、Ｄ、Ｅ、Ｆ、Ｈ、Ｑ、Ｒ、及びＳに記載の掃除用品。
【００９９】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【０１００】
相互参照される又は関連特許若しくは出願のいずれをも含めた、本明細書に引用されている全ての文書は、明示的に除外される、又は特に限定されない限り、その全体が本明細書に参照として組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１０１】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2020512863.tif 000004
【図２Ａ】
2020512863.tif 000005
【図２Ｂ】
2020512863.tif 000006
【図２Ｃ】
2020512863.tif 000007
【図２Ｄ】
2020512863.tif 000008
【図２Ｅ】
2020512863.tif 000009
【図２Ｆ】
2020512863.tif 000010
【図３Ａ】
2020512863.tif 000011
【図３Ｂ】
2020512863.tif 000012
【図３Ｃ】
2020512863.tif 000013
【図３Ｄ】
2020512863.tif 000014
【図３Ｅ１】
2020512863.tif 000015
【図３Ｅ２】
2020512863.tif 000016
【図３Ｆ】
2020512863.tif 000017
【図３Ｇ】
2020512863.tif 000018
【図３Ｈ】
2020512863.tif 000019
【図４】
2020512863.tif 000020
【図５Ａ】
2020512863.tif 000021
【図５Ｂ】
2020512863.tif 000022
【国際調査報告】
2020512863.tif 000023
2020512863.tif 000024